(57)【要約】【課題】発光ダイオードを用いて判定される特定人に所定の事項を出力する。【解決手段】  情報処理装置１０は、ＬＥＤ１３０が周囲の光を吸収することによりＬＥＤ１３０に発生する起電圧Ｖｅを測定する測定器１３５と、測定器１３５により測定された起電圧Ｖｅと予め定められた閾値Ｓｔｈとを比較する比較部１５０と、その比較結果に基づきＬＥＤ１３０に近づいたものが所定の特定人か否かを判定する判定部１５５と、判定部１５５により特定人と判定された場合、判定された特定人用に予め定められた所定の事項をその特定人に対して出力する出力部１６０とを有する。【選択図】図７
2010035826.tif 000002
【特許請求の範囲】
【請求項１】
発光ダイオードが周囲の光を吸収することにより前記発光ダイオードに発生する起電圧を測定する測定器と、
前記測定器により測定された起電圧と予め定められた閾値とを比較する比較部と、
前記比較部により比較した結果に基づき前記発光ダイオードに近づいたものが所定の特定人か否かを判定する判定部と、
前記判定部により前記特定人と判定された場合、前記判定された特定人用に予め定められた所定の事項を前記特定人に対して出力する出力部とを備えた情報処理装置。
【請求項２】
前記情報処理装置は、前記発光ダイオード及び前記測定器を含んだ玩具であり、
前記出力部は、
前記判定部により前記特定人と判定された場合、前記判定された特定人用に予め定められた所定の事項として前記特定人へのメッセージを出力する請求項１に記載された情報処理装置。
【請求項３】
前記情報処理装置は、前記発光ダイオード及び前記測定器を含んだ健康器具であり、
前記出力部は、
前記判定部により前記特定人と判定された場合、前記判定された特定人用に予め定められた所定の事項として前記特定人の身体に関する情報を出力する請求項１に記載された情報処理装置。
【請求項４】
前記情報処理装置は、前記発光ダイオード及び前記測定器を含んだ鍵付き収納器であり、
前記出力部は、
前記判定部により前記特定人と判定された場合、前記鍵付き収納器の開錠情報を生成し出力する請求項１に記載された情報処理装置。
【請求項５】
前記判定部は、
前記発光ダイオードに人の手が近づくことにより前記発光ダイオードが吸収する光量の変化に基づき前記特定人を判定し、
前記出力部は、
前記判定された特定人用に予め定められた所定の事項を出力する請求項１〜４のいずれかに記載された情報処理装置。
【請求項６】
前記所定の事項は、前記発光ダイオードの点滅、前記発光ダイオードの点灯、音声による出力、表示画面への出力、複写機への出力を含む請求項１〜５のいずれかに記載された情報処理装置。
【請求項７】
発光ダイオードが周囲の光を吸収することにより前記発光ダイオードに発生する起電圧を測定器により測定し、
前記測定器により測定された起電圧と予め定められた閾値とを比較し、
前記比較した結果に基づき前記発光ダイオードに近づいたものが所定の特定人か否かを判定し、
前記特定人が判定された場合、前記判定された特定人用に予め定められた所定の事項を前記特定人に対して出力する情報処理方法。
【請求項８】
発光ダイオードが周囲の光を吸収することにより前記発光ダイオードに生じる起電圧を用いて情報処理をコンピュータに実行させる情報処理プログラムであって、
前記測定器により測定された前記発光ダイオードの起電圧と予め定められた閾値とを比較する処理と、
前記比較した結果に基づき前記発光ダイオードに近づいたものが所定の特定人か否かを判定する処理と、
前記特定人が判定された場合、前記判定された特定人用に予め定められた所定の事項を前記特定人に対して出力する処理と、を備えた情報処理プログラム。
【発明の詳細な説明】
【技術分野】
【０００１】
本発明は、発光ダイオードを利用して発光ダイオードに近づいてきた特定人を判定する情報処理装置、情報処理方法および情報処理プログラムに関する。
【背景技術】
【０００２】
発光ダイオード（ＬＥＤ：Ｌｉｇｈｔ  Ｅｍｉｔｔｉｎｇ  Ｄｉｏｄｅ）は、カソードおよびアノード間に所定の電位差を印加することにより発光する。この性質を活かして、発光ダイオードは、信号機や各種機器の表示等の表示機器に幅広く使われている（たとえば、特許文献１、２を参照）。
【０００３】
【特許文献１】特開平６−３１６１１５号公報
【特許文献１】特開平６−２０９１２３号公報
【発明の開示】
【発明が解決しようとする課題】
【０００４】
この発光ダイオードには双方向性がある。それは、上記のように発光ダイオードに電圧を印加すると発光するという性質に対して、発光ダイオードが周囲の光を吸収することにより発光ダイオードに起電圧が生じるという性質を持っていることに現れている。よって、この性質を利用して、発光ダイオードをセンサとして用いることも可能である。
【０００５】
本発明では、発光ダイオードに生じる起電圧を用いて特定人を判定し、判定された特定人に所定の事項を出力する情報処理装置、情報処理方法および情報処理プログラムを提供する。
【課題を解決するための手段】
【０００６】
すなわち、本発明のある態様によれば、発光ダイオードが周囲の光を吸収することにより前記発光ダイオードに発生する起電圧を測定する測定器と、前記測定器により測定された起電圧と予め定められた閾値とを比較する比較部と、前記比較部により比較した結果に基づき前記発光ダイオードに近づいたものが所定の特定人か否かを判定する判定部と、前記判定部により前記特定人と判定された場合、前記判定された特定人用に予め定められた所定の事項を前記特定人に対して出力する出力部とを含んだ情報処理装置が提供される。
【０００７】
これによれば、発光ダイオードが吸収する光量により発光ダイオードに発生する起電圧が変化することを利用して、発光ダイオードの起電圧を測定することにより、発光ダイオードに近づいたものが所定の特定人かどうかを判定することができる。
【０００８】
たとえば、発光ダイオードに人の手を近づけることにより発光ダイオードの周囲の光が遮断される。発光ダイオードが周りから吸収する光量が少なくなる。具体的には、光の透過性は人の骨格や血流の違いにより変化する。これを利用して特定人の手を透過した光を発光ダイオードが吸収し、吸収した光量に応じて発生する発光ダイオードの起電圧を測定し、その測定値に基づき発光ダイオードに手をかざしたものが誰であるかを特定することができる。このようにして、発光ダイオードをセンサとして用いることにより、特定人に所定の事項を出力する情報処理装置を構築することができる。
【０００９】
前記情報処理装置は、前記発光ダイオード及び前記測定器を含んだ玩具であってもよい。この場合、前記出力部は、前記判定部により前記特定人と判定されたとき、その特定人用予め定められた所定の事項として前記特定人へのメッセージをその特定人に出力するようにしてもよい。
【００１０】
たとえば、玩具の一例として図１に示したぬいぐるみを挙げると、ぬいぐるみに測定器１３５を内蔵し、ぬいぐるみの外側に発光ダイオード１３０を取り付ける。人が発光ダイオード１３０に手をかざすとこれに応じて測定器が発光ダイオードの起電圧を測定する。その測定結果により、手をかざした人が特定人のいずれかであれば、その特定人に合ったメッセージを出力することができる。
【００１１】
なお、前記所定の事項としては、前記発光ダイオードの点滅、前前記発光ダイオードの点灯、音声による出力、表示画面への出力、複写機への出力が含まれる。
【００１２】
前記情報処理装置は、前記発光ダイオード及び前記測定器を含んだ健康器具であってもよい。この場合、前記出力部は、前記判定部により前記特定人と判定されたとき、その特定人用に予め定められた所定の事項として前記特定人の身体に関する情報を出力するようにしてもよい。これによれば、特定人の身体に関する情報を本人のみに表示することができる。
【００１３】
前記判定部は、前記発光ダイオード及び前記測定器を含んだ鍵付き収納器であってもよい。この場合、前記出力部は、前記判定部により前記特定人と判定されたとき、鍵付き収納器の開錠情報を生成し出力するようにしてもよい。これによれば、特定人のみが開錠できるセキュリティの高い鍵付き収納器を作ることができる。鍵付き収納器は、金庫や貯金箱として利用できるようにしてもよい。
【００１４】
本発明の別の観点によれば、発光ダイオードが周囲の光を吸収することにより前記発光ダイオードに発生する起電圧を測定器により測定し、前記測定器により測定された起電圧と予め定められた閾値とを比較し、前記比較した結果に基づき前記発光ダイオードに近づいたものが所定の特定人か否かを判定し、前記特定人が判定された場合、前記判定された特定人用に予め定められた所定の事項を前記特定人に対して出力する情報処理方法が提供される。
【００１５】
また、本発明の別の観点によれば、発光ダイオードが周囲の光を吸収することにより前記発光ダイオードに生じる起電圧を用いて情報処理をコンピュータに実行させる情報処理プログラムであって、前記測定器により測定された前記発光ダイオードの起電圧と予め定められた閾値とを比較する処理と、前記比較した結果に基づき前記発光ダイオードに近づいたものが所定の特定人か否かを判定する処理と、前記特定人が判定された場合、前記判定された特定人用に予め定められた所定の事項を前記特定人に対して出力する処理と、を備えた情報処理プログラムが提供される。
【発明の効果】
【００１６】
以上に説明したように、本発明によれば、発光ダイオードに生じる起電圧を用いて特定人を判定し、判定された特定人に所定の事項を出力する情報処理装置、情報処理方法および情報処理プログラムを提供することができる。
【発明を実施するための最良の形態】
【００１７】
以下に添付図面を参照しながら、本発明の一実施形態にかかる情報処理装置について説明する。なお、以下の説明及び添付図面において、同一の構成及び機能を有する構成要素については、同一符号を付することにより、重複説明を省略する。
【００１８】
たとえば、図１に示したように、本発明の一実施形態にかかる情報処理装置１００は、玩具の一例としての犬のぬいぐるみ１０に内蔵されている。情報処理装置１００には、各種制御プログラム等が記憶されたＩＣチップ１０５、スイッチ機能を有するＩＣチップ１１０、電池１１５，スピーカ１２０及びメロディ・チップ１２５が取り付けられ、互いに接続されている。ぬいぐるみ１０には、発光ダイオード（以下、ＬＥＤ１３０とも称呼する。）付き首輪がはめられている。
【００１９】
ＬＥＤ１３０は、点灯や点滅してぬいぐるみ１０の装飾になるとともに、図１の下部に示したように、ＬＥＤ１３０に手をかざす者がいると、情報処理装置内のＩＣチップ１０５，１１０の動作によりその人が誰であるかが特定され、メロディ・チップ１２５を動作させて特定人用のメッセージが出力される。
【００２０】
人がＬＥＤ１３０に手をかざすと、光が遮られてＬＥＤ１３０の周囲の光量は減少する。ＬＥＤ１３０の周りの光量の変化は、ＬＥＤ１３０が周囲の光を吸収するとこれに応じて生じるＬＥＤ１３０の起電圧の変化として現れる。この起電圧を測定器１３５により測定することによって人を特定することができる。
【００２１】
たとえば、図１のＬＥＤ１３０に手をかざした人が特定人Ａと特定された場合、特定人Ａ用に予め定められたメッセージ「Ａくん、おかえり」をスピーカ１２０から出力して、特定人Ａに呼びかける。
【００２２】
（ＬＥＤスイッチの原理）
情報処理装置１００の各部品の機能及び動作について詳しく説明する前に、ＬＥＤスイッチの原理について図２を参照しながら説明する。ＬＥＤスイッチ２００において、入力信号ＩＮはスイッチＳＷをコントロールする信号である。すなわち、入力信号ＩＮによりスイッチＳＷが端子Ａに接続されると、ＬＥＤ１３０が周りの光を吸収することにより発生するＬＥＤ１３０の起電圧をアナログ出力信号ＯＵＴに出力することができる。入力信号ＩＮによりスイッチＳＷが端子Ｂに接続されると、ＬＥＤ１３０のカソードおよびアノード間に所定の電位差が生じ、ＬＥＤ１３０を点灯させることができる。
【００２３】
（ＬＥＤスイッチの回路）
つぎに、情報処理装置の各部品（ＩＣチップ１０５，１１０及びメロディ・チップ１２５）の回路構成について、図３を参照しながら説明する。ＩＣチップ１０５，１１０及びスピーカ１２０には、所定のタイミングに電池１１５から３Ｖの電圧が印加される。
【００２４】
ＩＣチップ１０５はマイクロコンピュータＭＣを内蔵した半導体集積回路であり、いずれも図示しない揮発性メモリ（たとえば、ＲＡＭ）、不揮発性メモリ（たとえば、ＲＯＭ、ＥＥＰＲＯＭ）、ＣＰＵを含む。
【００２５】
ＲＯＭは、情報処理プログラムを記憶している。ＲＡＭは、各種データを一時的に記憶する。ＬＥＤ１３０に発生する起電圧は図１の測定器１３５により測定され、その測定値である起電圧を用いて情報処理プログラムが実行される。はマイクロコンピュータＭＣは、測定器１３５により測定されたＬＥＤ１３０の起電圧を随時受信する。ＣＰＵは、起電圧の測定値を用いてＲＯＭに記憶された情報処理プログラムを実行する。このようにして、ＩＣチップ１０５は、情報処理プログラムの実行結果に基づき任意の端子から任意のタイミングに必要な信号を出力する。
【００２６】
ＩＣチップ１０５では主にスイッチの切り替えを制御する端子５のＰＢ０ポートと、メロディ・チップ１２５のＯＮ／ＯＦＦを制御する端子６のＰＢ１ポートから出力される出力信号がＩＣチップ１０５内のメモリに格納された情報処理プログラムの実行結果に基づき制御される。
【００２７】
具体的には、情報処理プログラムの実行の結果、ＰＢ０ポートから「０」が出力されると、ＩＣチップ１１０の端子７の入力信号ＩＮに「０」が入力され、図４（ｂ）のロジック「０」に示したように、ＮＣ（Ｎｏｒｍａｌ  Ｃｌｏｓｅ）が「ＯＮ」、ＮＯ（Ｎｏｒｍａｌ  Ｏｐｅｎ）が「ＯＦＦ」の状態になり、図４（ａ）に示したようにＩＣチップ１１０の端子２，３が接続されて、電池１１５からＬＥＤ１３０に電圧が印加されなくなる。この場合、ＬＥＤ１３０の双方向性によりＬＥＤ１３０は周囲の光を吸収し、これに応じて生じた起電圧をＩＣチップ１１０の端子２，３を介してＩＣチップ１０５の端子３のＰＢ４ポートに伝える。ＰＢ４ポートに伝えられたらＬＥＤ１３０に生じている起電圧は、ＰＢ４ポートに接続された測定器１３５（図１参照）により測定され、ＩＣチップ１０５に内蔵されたマイクロコンピュータＭＣに伝えられる。
【００２８】
一方、ＰＢ０ポートから「１」が出力されると、ＩＣチップ１１０の端子７に「１」が入力され、図４（ｂ）のロジック「１」に示したように、ＮＣ（Ｎｏｒｍａｌ  Ｃｌｏｓｅ）が「ＯＦＦ」、ＮＯ（Ｎｏｒｍａｌ  Ｏｐｅｎ）が「ＯＮ」の状態になり、図４（ａ）の端子１，２が接続されて、電池１１５からの電圧がＬＥＤ１３０に印加され、ＬＥＤ１３０が点灯する。
【００２９】
なお、情報処理プログラム実行時、測定された起電圧と所定の閾値とが比較される。測定された起電圧が所定の閾値を超えている場合、ＩＣチップ１０５の端子６のＰＢ１ポートから信号「１」が出力され、メロディ・チップ１２５の端子２のＶｃｃに３Ｖの電圧が印加される。これにより、メロディ・チップ１２５が起動し、メロディ・チップ１２５の端子３のＯＵＴポートからメロディを出力するための信号「１」が出力される。この結果、スピーカ１２０からメッセージやメロディが流れる。
【００３０】
一方、測定された起電圧が所定の閾値を超えていない場合、ＩＣチップ１０５の端子６のＰＢ１ポートから信号「０」が出力される。これによれば、メロディ・チップ１２５の端子２のＶｃｃには電圧が印加されない。このため、メロディ・チップ１２５は起動されず、スピーカ１２０からメッセージやメロディは流れない。
【００３１】
（マイクロコンピュータＭＣの機能）
つぎに、マイクロコンピュータＭＣの機能について図５の機能ブロック図を参照しながら説明する。マイクロコンピュータＭＣは、比較部１５０、判定部１５５及び出力部１６０の各機能及びＲＯＭ等の記憶部１６５を有している。
【００３２】
比較部１５０は、測定器１３５により測定された起電圧と予め定められた閾値Ｓｔｈとを比較する。閾値Ｓｔｈの設定については後述する。判定部１５５は、比較部１５０により比較された結果に基づきＬＥＤ１３０に近づいたものが所定の特定人か否かを判定する。出力部１６０は、判定部１５５により特定人と判定された場合、判定された特定人用に予め定められた所定の事項を特定人に対して出力する。特定人用に予め定められた所定の事項は、記憶部１６５に蓄積されている。たとえば、Ａくん（息子）、Ｂちゃん（娘）、Ｃさん（パパ）、Ｄさん（ママ）の４人家族の場合、Ａくん用に「Ａくん、おかえり」、Ｂちゃん用に「Ｂちゃん、おかえり」、Ｃさん用に「Ｃさん、おつかれさま」、Ｄさん用に「Ｄさん、おつかれさま」等といろいろなメッセージが出力されるように、各メッセージデータが特定人とひも付けられて記憶部１６５に記憶される。出力部１６０は、ＬＥＤ１３０を点灯や点滅させたり、スピーカ１２０から音声を出力したり、画面表示や複写機に印字するようにしてもよい。
【００３３】
（マイクロコンピュータＭＣの動作）
次に、マイクロコンピュータＭＣによって実行される各種処理について図６及び図７のフローチャートに基づき説明する。マイクロコンピュータＭＣは、コンピュータ立ち上げ時などの所定のタイミングに図６に示したフローチャートに基づき、閾値Ｓｔｈの設定処理を実行する。
【００３４】
（閾値設定処理）
閾値設定処理は、図６のステップＳ６００から開始され、ステップＳ６０５に進んで、マイクロコンピュータＭＣは、ＬＥＤ１３０が周囲の光を吸収することによりＬＥＤ１３０に生じる起電圧の測定値を取り込む。前述したように、ＬＥＤ１３０の起電圧は、図３に示したＩＣチップ１０５の端子３、４間の電位差を測定器１３５にて測定し、その測定値をマイクロコンピュータＭＣが取り込むことにより得られる。
【００３５】
つぎに、ステップＳ６１０に進み、マイクロコンピュータＭＣは、上記起電圧の測定値を所定個取り込んだかを判定する。たとえば、１０個の測定値を取り込まなければならない場合、ステップＳ６０５，Ｓ６１０を１０回繰り返し、その後、ステップＳ６１５に進む。マイクロコンピュータＭＣは、ステップＳ６１５にて、取り込んだ所定個の起電圧（測定値）の平均値を求め、その平均値を閾値Ｓｔｈとして設定し、ステップＳ６９５にて本処理を終了する。このようにして、ＬＥＤ１３０近傍の通常の光の状態を示す起電圧の平均値を閾値Ｓｔｈとして求めておく。
【００３６】
（玩具動作制御処理）
次に、マイクロコンピュータＭＣによって実行されるぬいぐるみの動作制御処理について図７のフローチャートを参照しながら説明する。玩具動作制御処理は、所定時間経過毎に開始される。玩具動作制御処理は、ステップＳ７００から開始され、ステップＳ７０５に進んで、マイクロコンピュータＭＣは、測定器１３５により最も最近測定されたＬＥＤ１３０の起電圧の測定値Ｖｅを取り込む。
【００３７】
つぎに、マイクロコンピュータＭＣの比較部１５０は、閾値Ｓｔｈと測定値Ｖｅとの差分の絶対値を求める。この差分の絶対値が、所与のα値以下の場合、判定部１５５は、現状のＬＥＤ１３０の周りの光は、通常状態とほとんど変わらないと判定し、ＬＥＤ１３０の周りには所定の特定人はいないと判断して、ステップＳ７９５に進んで処理を終了する。
【００３８】
たとえば、図８には、横軸に時間ｔ、縦軸に起電圧の差分の絶対値｜Ｓｔｈ−Ｖｅ｜が示されているが、時間０〜ｔ１間は、起電圧の差分の絶対値｜Ｓｔｈ−Ｖｅ｜がα値以下のため、ＬＥＤ１３０近傍に特定人は存在しないと判定される。なお、α値、β１値、β２値、β３値、β４値は、家族４人（Ａ、Ｂ、Ｃ、Ｄ）を特定するためのそれぞれの閾値である。
【００３９】
一方、ステップＳ７１０にて起電圧の差分の絶対値｜Ｓｔｈ−Ｖｅ｜がα値より大きい場合、ステップＳ７１５に進み、判定部１５５は、起電圧の差分の絶対値｜Ｓｔｈ−Ｖｅ｜がβ１値以下であるかを判定する。図８の時間ｔ１に示したように、起電圧の差分の絶対値｜Ｓｔｈ−Ｖｅ｜がα値より大きくβ１値以下の場合、判定部１５５は、ＬＥＤ１３０の近くにＡくんがいると判定し、ステップＳ７２０に進んでＡくんへのメッセージ「Ａくん、おかえり」（図１参照）をスピーカ１２０から出力し、ステップＳ７９５に進んで処理を終了する。
【００４０】
たとえば、図８では、時間ｔ１にて、起電圧の差分の絶対値｜Ｓｔｈ−Ｖｅ｜がα値より大きくなっている。これは、ＬＥＤ１３０近傍が通常の光の状態と異なる状態になっていることを示す。たとえば、ＬＥＤ１３０にＡくんの手を近づけることによりＬＥＤ１３０が吸収する光量の変化に基づきＬＥＤ１３０に近づいたものがＡくんであると判定する。具体的には、光の透過性は人の骨格や血流の違いにより変化することを利用して、Ａくんの手を透過した光をＬＥＤ１３０が吸収し、吸収した光量に応じて発生するＬＥＤ１３０の起電圧を測定する。この測定結果に基づき、起電圧の差分の絶対値｜Ｓｔｈ−Ｖｅ｜と所定のα値、β値とを比較することによってＬＥＤ１３０に手をかざしたものがＡくんであることを特定することができる。
【００４１】
同様にして、ステップＳ７１５にて起電圧の差分の絶対値｜Ｓｔｈ−Ｖｅ｜がβ１値より大きい場合、ステップＳ７２５に進み、判定部１５５は、起電圧の差分の絶対値｜Ｓｔｈ−Ｖｅ｜がβ２値以下であるかを判定する。図８の時間ｔ４、ｔ５に示したように、起電圧の差分の絶対値｜Ｓｔｈ−Ｖｅ｜がβ１値より大きくβ２値以下の場合、判定部１５５は、ＬＥＤ１３０の近くにＢちゃんがいると判定し、ステップＳ７３０に進んでＢちゃんへのメッセージをスピーカ１２０から出力し、ステップＳ７９５に進んで処理を終了する。
【００４２】
同様にして、ステップＳ７２５にて起電圧の差分の絶対値｜Ｓｔｈ−Ｖｅ｜がβ２値より大きい場合、ステップＳ７３５に進み、判定部１５５は、起電圧の差分の絶対値｜Ｓｔｈ−Ｖｅ｜がβ３値以下であるかを判定する。図８の時間ｔ２、ｔ３に示したように、起電圧の差分の絶対値｜Ｓｔｈ−Ｖｅ｜がβ２値より大きくβ３値以下の場合、判定部１５５は、ＬＥＤ１３０の近くにＣさんがいると判定し、ステップＳ７４０に進んでＣさんへのメッセージをスピーカ１２０から出力し、ステップＳ７９５に進んで処理を終了する。
【００４３】
同様にして、ステップＳ７３５にて起電圧の差分の絶対値｜Ｓｔｈ−Ｖｅ｜がβ３値より大きい場合、ステップＳ７４５に進み、判定部１５５は、起電圧の差分の絶対値｜Ｓｔｈ−Ｖｅ｜がβ４値以下であるかを判定する。図８の時間ｔ７に示したように、起電圧の差分の絶対値｜Ｓｔｈ−Ｖｅ｜がβ３値より大きくβ４値以下の場合、判定部１５５は、ＬＥＤ１３０の近くにＤさんがいると判定し、ステップＳ７５０に進んでＤさんへのメッセージをスピーカ１２０から出力し、ステップＳ７９５に進んで処理を終了する。
【００４４】
以上に説明したように、本実施形態に係る情報処理装置１００を組み込んだぬいぐるみ１００によれば、ＬＥＤ１３０をセンサとして用いることにより、ＬＥＤ１３０に、たとえば手をかざすだけで、特定人用に予め用意された特定のメッセージを出力することができる。自分だけに送られるメッセージを聞いた人は、そのぬいぐるみがよりいとおしく、可愛らしくなり、ぬいぐるみ１０に対して強い愛着を持って接するようになる。
【００４５】
メッセージの他の例としては、Ａくんにママからのメッセージをあらかじめ録音しておき、ＡくんがＬＥＤ１３０に手をかざしたら、ママからの伝言として「おやつは戸棚の中よ」とぬいぐるみが話すようにしてもよい。なお、この伝言はＢちゃんやＣさんがＬＥＤ１３０に手をかざしても出力されない。
【００４６】
(変形例１)
本実施形態に係る情報処理装置の変形例１としては、ＬＥＤ１３０及び測定器１３５を含んだ健康器具であってもよい。たとえば、本実施形態に係る情報処理装置を体重計に組み込んでもよい。体重計は、特定人の使用時には、日々の体重や体脂肪の推移がグラフで表示されるようになっている。
【００４７】
たとえば、特定人がＤさん(ママ)の場合、図９のフローチャートに示した体重表示処理にて、マイクロコンピュータＭＣは、ステップＳ９００に続くステップＳ９０５にて最新のＬＥＤ１３０の起電圧Ｖｅの測定値を取り込む。次に、マイクロコンピュータＭＣは、ステップＳ９１０にて起電圧の差分の絶対値｜Ｓｔｈ−Ｖｅ｜がβ３値より大きく、β４値以下であるかを判定する。これにより、ＬＥＤ１３０にかざした人の光の透過性の違いから体重計にのっている人がママか否かを判定する。図８の時間ｔ７に示したように、起電圧の差分の絶対値｜Ｓｔｈ−Ｖｅ｜がβ３値より大きくβ４値以下の場合、マイクロコンピュータＭＣは、ＬＥＤ１３０の近くにＤさんがいると判定し、ステップＳ９１５に進んでＤさんの今測定している体重を表示するとともに、たとえば、１ヶ月間の体重や体脂肪の推移をグラフ化してディスプレイに表示し、ステップＳ９９５に進んで本処理を終了する。
【００４８】
一方、起電圧の差分の絶対値｜Ｓｔｈ−Ｖｅ｜がβ３値以下またはβ４値より大きい場合、マイクロコンピュータＭＣは、ＬＥＤ１３０の近くにいるのはＤさんではないと判定し、ステップＳ９２０に進んで今測定している体重を表示し、ステップＳ９９５に進んで本処理を終了する。
【００４９】
以上によれば、Ｄさんの１ヶ月間の体重や体脂肪の推移は、Ａくん、Ｂちゃん、Ｃさんが体重計にのっても表示されない。したがって、本変形例によれば、ＬＥＤ１３０に、たとえば手をかざすだけで、家族に見られたくないが自分だけはこっそり自分の健康状態を把握したいというシャイな女性やメタボリック症候群が気になる人に最適な機能を有した体重計を提供できる。
【００５０】
(変形例２)
本実施形態に係る情報処理装置の変形例２としては、ＬＥＤ１３０及び測定器１３５を含んだ鍵付き収納器の一つとしてダイアリーボックスが挙げられる。ダイアリーボックスは、特定人（本人）しか解錠できないボックスである。
【００５１】
たとえば、特定人がＢちゃん(娘)の場合、図１０のフローチャートに示したダイアリーボックス開閉処理にて、マイクロコンピュータＭＣは、ステップＳ１０００に続くステップＳ１００５にて最新のＬＥＤ１３０の起電圧Ｖｅの測定値を取り込む。マイクロコンピュータＭＣは、ステップＳ１０１０にて起電圧の差分の絶対値｜Ｓｔｈ−Ｖｅ｜がβ１値より大きく、β２値以下であるかを判定する。これにより、ＬＥＤ１３０にかざした人の光の透過性の違いからダイアリーボックスに近づいた人がＢちゃんか否かを判定する。図８の時間ｔ４、ｔ６に示したように、起電圧の差分の絶対値｜Ｓｔｈ−Ｖｅ｜がβ１値より大きくβ２値以下の場合、マイクロコンピュータＭＣは、ＬＥＤ１３０の近くにＢちゃんがいると判定し、ステップＳ１０１５に進んで、図示しない乱数生成器を用いて乱数を生成し、ステップＳ１０２０にてこれを開錠情報として、たとえばダイアリーボックスのディスプレイに表示する。
【００５２】
ついで、ステップＳ１０２５に進んで、マイクロコンピュータＭＣは、所定時間内に所望の乱数（開錠情報）が入力されたかを判定し、入力された場合には、ステップＳ１０３０にてダイアリーボックスの鍵を開け、ステップＳ１０９５に進んで本処理を終了する。
【００５３】
一方、起電圧の差分の絶対値｜Ｓｔｈ−Ｖｅ｜がβ１値以下またはβ２値より大きい場合、マイクロコンピュータＭＣは、ＬＥＤ１３０の近くにいるのはＢちゃんではないと判定し、直ちにステップＳ１０９５に進んで本処理を終了する。
【００５４】
ステップＳ１０２５にて、所定時間内に所望の乱数（開錠情報）が入力されなかった場合にもステップＳ１０９５に進んで本処理を終了する。
【００５５】
本変形例によれば、ＬＥＤ１３０に、たとえば手をかざすだけで本人だけが開閉できるダイアリーボックスを提供することができる。これによれば、鍵を紛失する恐れがなく、誰にも見られたくない日記などを収納するのに最適である。ダイアリーボックスに替えて金庫や貯金箱に応用してもよい。
【００５６】
その他、本実施形態にかかる情報処理装置を毎日の運勢を占ってくれる電子機器に組み入れてもよい。ＬＥＤ１３０に、たとえば手をかざすだけで、同じ日に同じ特定人が何度占いを試しても同じ結果になるが、他の特定人がその日初めて占いを試した場合には、その特定人用の運勢が出力される。
【００５７】
その他、本実施形態にかかる情報処理装置をモンスターキャラクタのぬいぐるみに組み込んだり、女性向けのゲームで男性キャラクターのフィギュアに組み込み、特定の女性に対して男性フィギュアが特定のメッセージを送る等の用途に使用できる。
【００５８】
上記実施形態において、各部の動作はお互いに関連しており、互いの関連を考慮しながら、一連の動作として置き換えることができる。そして、このように置き換えることにより、情報処理装置の動作の実施形態は、情報処理方法の実施形態として実現することができる。また、情報処理方法を記載した情報処理プログラムを、コンピュータを用いて実行することも可能である。
【００５９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６０】
たとえば、上記情報処理装置では、発光ダイオードの双方向性を利用して特定人を認識し、特定人用の固定の言葉を出力するようにした。しかし、これに限られず、特定人の発する言葉や動作を認識し、学習することにより、特定人用のメッセージを更新したり、更なるメッセージを自動生成したりするようにしてもよい。
【００６１】
また、特定人に対するメッセージは、音声メッセーだけでなく、光、振動、熱、冷気などによるメッセージ及びこれらの組合せであってもよい。複数の媒体にメッセージを出力することにより、特定人の心に訴えかけることができる。
【図面の簡単な説明】
【００６２】
【図１】本発明の一実施形態にかかる情報処理装置を組み込んだぬいぐるみの概念図である。
【図２】本発明の一実施形態にかかるＬＥＤスイッチの原理図である。
【図３】本発明の一実施形態にかかる情報処理装置の各部品の回路図である。
【図４】図４（ａ）はスイッチ回路図であり、図４（ｂ）は、スイッチ回路のステータスを示す図である。
【図５】本発明の一実施形態にかかるマイクロコンピュータＭＣの機能構成図である。
【図６】本発明の一実施形態にかかる閾値設定処理を示したフローチャートである。
【図７】本発明の一実施形態にかかる玩具動作制御処理を示したフローチャートである。
【図８】ＬＥＤの起電圧の差分の時間的推移の一例を示した図である。
【図９】本発明の変形例１にかかる玩具動作制御処理を示したフローチャートである。
【図１０】本発明の変形例２にかかるダイアリーボックス開閉処理を示したフローチャートである。
【符号の説明】
【００６３】
１０            ぬいぐるみ
１００          情報処理装置
１０５，１１０  ＩＣチップ
１１５          電池
１２０          スピーカ
１２５          メロディ・チップ
１３０          ＬＥＤ
１３５          測定器
１５０          比較部
１５５          判定部
１６０          出力部
１６５          記憶部
２００          ＬＥＤスイッチ
ＭＣ            マイクロコンユー多
Ｓｔｈ          閾値
起電圧          Ｖｅ
【図１】
2010035826.tif 000003
【図２】
2010035826.tif 000004
【図３】
2010035826.tif 000005
【図４】
2010035826.tif 000006
【図５】
2010035826.tif 000007
【図６】
2010035826.tif 000008
【図７】
2010035826.tif 000009
【図８】
2010035826.tif 000010
【図９】
2010035826.tif 000011
【図１０】
2010035826.tif 000012